(57)【要約】【課題】文書の内容の確認が容易で、第三者に文書の内容を知られることのない電子文書内容証明システムを提供する。【解決手段】登録者端末２からサーバ１０に送信された電子文書Ａは、照会情報が付与されてサーバ１０に保存されると共に、この照会情報が電子透かしとして埋め込まれた電子透かし電子文書Ｂが返送される。電子透かし電子文書Ｂは、プリンタ４で印刷され、電子透かし付きの印刷文書５が出力される。確認者は確認者端末３のスキャナ６で印刷文書５を読み取り、スキャン画像Ｃをサーバ１０に送信する。サーバ１０でスキャン画像Ｃ中の電子透かしから照会情報が抽出され、この照会情報によって電子文書Ａが検索される。検索された電子文書Ａと、スキャン画像Ｃから抽出された電子文書とが合成され、その相違が目視で確認できるような合成表示画像Ｄが生成されて確認者端末３に表示される。【選択図】　　　図１
2004070786.tif 000002
【特許請求の範囲】
【請求項１】
入力された電子文書に保存用の照会情報を付加して保存すると共に、この保存用の照会情報に対応した電子透かし画像を生成して該電子文書に埋め込んだ電子透かし電子文書を出力し、入力された画像情報から電子透かし画像を検出して検索用の照会情報を抽出し、この検索用の照会情報に基づいて前記保存された電子文書を検索すると共に、この検索された電子文書と前記画像情報を比較して合成画像を出力するサーバと、
前記電子透かし電子文書に基づいて印刷された印刷文書をスキャンして読み取ったスキャン画像を前記サーバに前記画像情報として送信し、該サーバから与えられた前記合成画像を表示する確認者端末とを、
備えたことを特徴とする印刷文書内容証明システム。
【請求項２】
入力された電子文書を画像形式の文書画像に変換して保存用の照会情報を付加して保存すると共に、この保存用の照会情報に対応した電子透かし画像を生成して該電子文書に埋め込んだ電子透かし電子文書を出力し、入力された画像情報から電子透かし画像を検出して検索用の照会情報を抽出し、この検索用の照会情報に基づいて前記保存された文書画像を検索すると共に、この検索された文書画像と前記画像情報を比較して合成画像を出力するサーバと、
前記電子透かし電子文書に基づいて印刷された印刷文書をスキャンして読み取ったスキャン画像を前記サーバに前記画像情報として送信し、該サーバから与えられた前記合成画像を表示する確認者端末とを、
備えたことを特徴とする印刷文書内容証明システム。
【請求項３】
入力された電子文書に保存用の照会情報を割り当て、この保存用の照会情報に対応した電子透かし画像を生成して該電子文書に埋め込んだ電子透かし電子文書を出力すると共に、該保存用の照会情報と該電子透かし電子文書を対応付けて保存し、入力された画像情報から電子透かし画像を検出して検索用の照会情報を抽出し、この検索用の照会情報に基づいて前記保存された電子透かし電子文書を検索すると共に、この検索された電子透かし文書画像と前記画像情報を比較して合成画像を出力するサーバと、
前記電子透かし電子文書に基づいて印刷された印刷文書をスキャンして読み取ったスキャン画像を前記サーバに前記画像情報として送信し、該サーバから与えられた前記合成画像を表示する確認者端末とを、
備えたことを特徴とする印刷文書内容証明システム。
【請求項４】
入力された電子文書に保存用の照会情報を割り当て、この保存用の照会情報に対応した電子透かし画像を生成して該電子文書に埋め込んだ電子透かし電子文書を出力すると共に、該保存用の照会情報と該電子文書の内容情報を対応付けて保存し、入力された画像情報から電子透かし画像を検出して検索用の照会情報を抽出し、この検索用の照会情報に基づいて前記保存された内容情報を検索して出力するサーバと、
前記電子透かし電子文書に基づいて印刷された印刷文書をスキャンして読み取ったスキャン画像を前記サーバに前記画像情報として送信し、該サーバから与えられた前記内容情報を表示する確認者端末とを、
備えたことを特徴とする印刷文書内容証明システム。
【請求項５】
前記電子文書の内容情報は、該電子文書と共に前記サーバに入力されることを特徴とする請求項４記載の印刷文書内容証明システム。
【請求項６】
前記サーバは、前記入力された電子文書に基づいて前記内容情報を作成する内容情報作成部を有することを特徴とする請求項４記載の印刷文書内容証明システム。
【請求項７】
前記サーバは、前記入力された電子文書を画像形式の文書画像に変換する文書画像作成部と、該文書画像に基づいて前記内容情報を作成する第１の内容情報作成部と、前記入力された画像情報に基づいて比較用の内容情報を作成する第２の内容情報作成部と、前記検索された内容情報と該作成された比較用の内容情報を比較して合成画像を出力する内容情報比較部とを、有することを特徴とする請求項４記載の印刷文書内容証明システム。
【請求項８】
前記サーバは、前記電子文書が入力された時間を示す時間情報を作成して保存する時間情報作成部を有し、前記検索用の照会情報に基づいて前記保存された内容情報が検索されたときに、該内容情報と共に該時間情報を出力するように構成したことを特徴とする請求項４乃至７のいずれかに記載の印刷文書内容証明システム。
【請求項９】
前記サーバは、前記電子文書の有効期限を示す有効期限情報を作成して保存する有効期限情報作成部と、前記検索用の照会情報に基づいて前記保存された内容情報が検索されたときに、該有効期限情報に基づいてその内容情報が有効であるか否かを検証する有効期限検証部とを、有することを特徴とする請求項４乃至８のいずれかに記載の印刷文書内容証明システム。
【請求項１０】
前記サーバは、前記登録者端末から前記電子文書に対応して入力された照会者情報を前記照会情報に対応付けて保存し、前記確認者端末から前記スキャン画像と共に確認用の照会者情報が入力されたときに、該保存されている照会者情報と該確認用の照会者情報を比較し、一致したときに保存されている内容情報を出力するように構成したことを特徴とする請求項４乃至９のいずれかに記載の印刷文書内容証明システム。
【請求項１１】
前記サーバは、前記登録者端末から前記電子文書に対応して作成した照会用情報を前記照会情報に対応付けて保存すると共に、前記登録者端末に出力し、前記確認者端末から前記スキャン画像と共に確認用の照会用情報が入力されたときに、該保存されている照会用情報と該確認用の照会用情報を比較し、一致したときに保存されている内容情報を出力するように構成したことを特徴とする請求項４乃至１０のいずれかに記載の印刷文書内容証明システム。
【請求項１２】
入力された電子文書に保存用の照会情報を割り当て、この保存用の照会情報に対応した電子透かし画像を生成して該電子文書に埋め込んだ電子透かし電子文書を出力すると共に、該保存用の照会情報と該電子文書の内容情報を対応付けて保存し、入力された検索用の照会情報に基づいて前記保存された内容情報を検索して出力するサーバと、
前記電子透かし電子文書に基づいて印刷された印刷文書をスキャンして読み取ったスキャン画像から前記検索用の照会情報を抽出して前記サーバに送信し、該サーバから与えられた前記内容情報を表示する確認者端末とを、
備えたことを特徴とする印刷文書内容証明システム。
【請求項１３】
前記サーバは、前記確認者端末からの要求に応じて、前記スキャン画像から前記検索用の照会情報を抽出するための電子透かし検出プログラムをダウンロードする電子透かし検出プログラム送付部を有することを特徴とする請求項１２記載の印刷文書内容証明システム。
【請求項１４】
前記サーバは、前記確認者端末からの要求に応じて、前記印刷文書を読み取るスキャナを制御して前記スキャン画像を取得すると共に、該スキャン画像から前記検索用の照会情報を抽出するためのプログラムをダウンロードするプログラム送付部を有することを特徴とする請求項１２記載の印刷文書内容証明システム。
【請求項１５】
前記サーバは、前記電子透かし電子文書の出力、或いは前記合成画像または内容情報の出力に対する課金を行う課金処理部を備えたことを特徴とする請求項１乃至１４のいずれかに記載の印刷文書内容証明システム。
【発明の詳細な説明】
【０００１】
【発明の属する技術分野】
本発明は、紙に印刷された文書の内容が原本として登録されたものと同一であるかを確認するための、印刷文書内容証明システムに関するものである。
【０００２】
【従来の技術】
【０００３】
従来、印刷物や文書の内容を確認したり保証したりするには、原本の他に謄本を保存しておいて必要なときに人が見比べて確認する方法や、紙幣等のように特殊な紙や印刷技術を用いて印刷物自体の偽造や改ざんを困難にして保証する方法や、筆跡鑑定によって偽造や改ざんを調べる方法が一般的であった。
【０００４】
また、インターネットを通じて、電子化された内容証明郵便を受け付けるサービスも存在する。これは、差出人がワードプロセッサ等で作成した電子文書を郵便局のサーバに送信し、このサーバが電子文書内に内容証明用の証明文を挿入して原本と謄本を印刷すると共に、暗号化した電子文書を証拠として保存するものである。印刷された原本と謄本は、それぞれ証明印が押されて受取人と差出人へ郵送されるようになっている。
【０００５】
更に、電子データ金庫等のように、電子文書をサーバに登録しておいて、必要時に照会用の番号等を入力してその文書を表示し、確認対象の印刷文書と比較するシステムもある。
【０００６】
【発明が解決しようとする課題】
【０００７】
しかしながら、従来の方法では、文書全体を人間が見て比較する必要があり、真偽判定に時間がかかったり、見間違えることがあるという問題があった。
【０００８】
また、サーバに証明用の電子文書を保存するシステムでは、照会用の番号等を人間が入力する場合には手間がかかり、印刷物中の文字やバーコード等を使用する場合には、その偽造等が行われるおそれがあるという問題があった。
【０００９】
更に、照会用の番号のみで電子文書を閲覧できるようなシステムでは、第三者に内容が知られてしまうおそれがあった。
【００１０】
本発明は、前記従来技術が持っていた課題を解決し、文書の内容の確認が容易で、第三者に文書の内容を知られることのない印刷文書内容証明システムを提供するものである。
【００１１】
【課題を解決するための手段】
【００１２】
前記課題を解決するために、本発明の内の第１の発明は、印刷文書内容証明システムを、次のようなサーバと確認者端末で構成している。
【００１３】
サーバは、登録者端末等から入力された電子文書に保存用の照会情報を付加して保存すると共に、この保存用の照会情報に対応した電子透かし画像を生成して該電子文書に埋め込んだ電子透かし電子文書を出力し、確認者端末から入力された画像情報から電子透かし画像を検出して検索用の照会情報を抽出し、この検索用の照会情報に基づいて前記保存された電子文書を検索すると共に、この検索された電子文書と前記画像情報を比較して合成画像を出力するものである。
【００１４】
確認者端末は、前記電子透かし電子文書に基づいて印刷された印刷文書をスキャンして読み取ったスキャン画像を前記サーバに前記画像情報として送信し、該サーバから与えられた前記合成画像を表示するものである。
【００１５】
第２の発明では、サーバを、入力された電子文書を画像形式の文書画像に変換して保存用の照会情報を付加して保存すると共に、この保存用の照会情報に対応した電子透かし画像を生成して該電子文書に埋め込んだ電子透かし電子文書を出力し、入力された画像情報から電子透かし画像を検出して検索用の照会情報を抽出し、この検索用の照会情報に基づいて前記保存された電子文書を検索すると共に、この検索された電子文書と前記画像情報を比較して合成画像を出力するように構成している。
【００１６】
第３の発明では、サーバを、入力された電子文書に保存用の照会情報を割り当て、この保存用の照会情報に対応した電子透かし画像を生成して該電子文書に埋め込んだ電子透かし電子文書を出力すると共に、該保存用の照会情報と該電子透かし電子文書を対応付けて保存し、入力された画像情報から電子透かし画像を検出して検索用の照会情報を抽出し、この検索用の照会情報に基づいて前記保存された電子透かし電子文書を検索すると共に、この検索された電子透かし文書画像と前記画像情報を比較して合成画像を出力するように構成している。
【００１７】
第１〜第３の発明によれば、以上のように印刷文書内容証明システムを構成したので、次のような作用が行われる。
【００１８】
登録者端末等からサーバに電子文書が入力されると、このサーバによって照会情報が割り当てられると共に、この照会情報に対応した電子透かし画像が生成されて電子文書に埋め込まれ、電子透かし電子文書が作成される。更に、電子文書、この電子文書から生成された文書画像、または電子透かし電子文書が、照会情報と対応付けられてサーバ内に保存される。
【００１９】
一方、確認者端末側は、電子透かし電子文書に基づいて印刷された印刷文書をスキャンして読み取った画像情報がサーバに送信される。サーバでは、画像情報から電子透かし画像が検出されて検索用の照会情報を抽出される。そして、この検索用の照会情報に基づいて保存された電子文書等が検索され、検索された電子文書等と確認者端末から送信された画像情報が比較されて合成画像が出力される。合成画像は、確認者端末に返送されて表示されるので、改ざんの有無等を容易に確認することができる。
【００２０】
第４〜第１１の発明は、印刷文書内容証明システムを、入力された電子文書に保存用の照会情報を割り当て、この保存用の照会情報に対応した電子透かし画像を生成して該電子文書に埋め込んだ電子透かし電子文書を出力すると共に、該保存用の照会情報と該電子文書の内容情報を対応付けて保存し、入力された画像情報から電子透かし画像を検出して検索用の照会情報を抽出し、この検索用の照会情報に基づいて前記保存された内容情報を検索して出力するサーバと、第１の発明と同様の確認者端末で構成している。
【００２１】
第４〜第１１の発明によれば、サーバには、入力された電子文書ではなく、この電子文書に付属して入力された内容情報や、この電子文書から抽出された内容情報が保存される。また、確認者端末からの内容証明時には、その保存された内容情報が出力される。
【００２２】
第１２〜第１４の発明は、印刷文書内容証明システムを、入力された電子文書に保存用の照会情報を割り当て、この保存用の照会情報に対応した電子透かし画像を生成して該電子文書に埋め込んだ電子透かし電子文書を出力すると共に、該保存用の照会情報と該電子文書の内容情報を対応付けて保存し、入力された検索用の照会情報に基づいて前記保存された内容情報を検索して出力するサーバと、電子透かし電子文書に基づいて印刷された印刷文書をスキャンして読み取ったスキャン画像から検索用の照会情報を抽出してサーバに送信し、該サーバから与えられた内容情報を表示する確認者端末とで構成している。
【００２３】
第１２〜第１４の発明によれば、確認者端末側で印刷文書を読み取り、そのスキャン画像から検索用の照会情報が抽出される。抽出された照会情報は、サーバ側に送信され、該当する電子文書の内容情報が検索されて出力される。
【００２４】
第１５の発明では、第１〜第１４の発明におけるサーバに、電子透かし電子文書の出力、或いは合成画像または内容情報の出力に対する課金を行う課金処理部を設けている。
【００２５】
【発明の実施の形態】
【００２６】
（第１の実施形態）
【００２７】
図１は、本発明の第１の実施形態を示す印刷文書内容証明システムの構成図である。
【００２８】
この印刷文書内容証明システムは、ネットワーク１に通信回線を介して接続された登録者端末２と、確認者端末３と、電子文書の保存や内容証明等を行うためのサーバ１０を備えている。登録者端末２には、プリンタ４が接続され、このプリンタ４によって受取人に渡すための印刷文書５が印刷されるようになっている。一方、確認者端末３には、確認のために印刷文書５を読み取るスキャナ６が接続されている。
【００２９】
このシステムでは、差出人は、ワードプロセッサ等で作成した電子文書Ａを、登録者端末２からネットワーク１を介してサーバ１０に送信する。サーバ１０では、例えば受付番号等の照会情報が電子透かしの形式で作成され、これを電子文書Ａに付加した電子透かし電子文書Ｂが作成されて、登録者端末２に返送される。差出人は、電子透かし電子文書Ｂをプリンタ４で印刷して印刷文書５を出力し、この印刷文書５を受取人に送付する。
【００３０】
一方、印刷文書５を受け取った受取人は、確認者端末３のスキャナ６でこの印刷文書５を読み取り、スキャン画像Ｃをサーバ１０へ送信する。サーバ１０では、スキャン画像Ｃ中の電子透かしが検出され、照会情報が抽出される。そして、抽出された照会情報に基づいて保存しておいた電子文書等が検索される。検索された電子文書等は、スキャン画像Ｃと比較され、その相違箇所が明らかになるような合成表示画像Ｄが作成されて、確認者端末３へ返送される。受取人は、確認者端末３に表示された合成表示画像Ｄにより、印刷文書５がサーバ１０に保存されている電子文書等と同一内容であるか否かを確認することができる。
【００３１】
図２は、図１中のサーバの第１の構成例を示す図である。
【００３２】
このサーバ１０Ａは、登録者端末２側から電子文書Ａが入力されたときに、この電子文書Ａに対応する受付日時や受付番号等の照会情報Ｅを作成する照会情報作成部１１と、この電子文書Ａに基づいて文書画像Ｆを作成する文書画像作成部１２を有している。文書画像作成部１２は、レイアウト情報と文書内容を示す文字や記号の文字コードとで構成された電子文書Ａを、画面表示できるようなビットマップ形式の文書画像Ｆに変換するものである。照会情報Ｅと文書画像Ｆは、情報保存部１３Ａに対応付けされて保存されると共に、電子透かし画像作成部１４に与えられるようになっている。
【００３３】
電子透かし画像作成部１４は、文書画像Ｆから抽出した改ざん検出情報と照会情報Ｅから、電子透かし画像Ｇを作成するものである。電子透かし画像Ｇは、後述するように、例えば、０，１のビット情報を黒画素の密度が非常に小さくなるように設定された２種類のパターンに対応させ、このパターンを文書画面上に繰り返して表示したものである。電子透かし画像Ｇは、電子文書Ａと共に電子透かし電子文書作成部１５に与えられるようになっている。
【００３４】
電子透かし電子文書作成部１５は、電子文書Ａとして与えられたレイアウト情報及び文字コードと、電子透かし画像Ｇとして与えられたビットマップ形式の電子透かし画像Ｇを組み合わせて、電子透かし電子文書Ｂを作成するものである。作成された電子透かし電子文書Ｂは、ネットワーク１を介して登録者端末２へ返送されるようになっている。
【００３５】
更に、このサーバ１０Ａは、確認者端末３側からスキャン画像Ｃが入力される電子透かし検出部１６を有している。電子透かし検出部１６は、スキャン画像Ｃ中の電子透かし画像Ｇを抽出し、この電子透かし画像Ｇから照会情報Ｅを検出するものである。照会情報Ｅは、照会情報検索部１７に与えられるようになっている。照会情報検索部１７は、電子透かし検出部１６から与えられた照会情報Ｅに基づいて情報保存部１３Ａを検索し、この照会情報Ｅに対応する文書画像Ｆを読み出すものである。
【００３６】
情報保存部１３Ａから読み出された文書画像Ｆは、スキャン画像Ｃと共に、合成表示画像作成部１８へ与えられるようになっている。合成表示画像作成部１８は、検索された文書画像Ｆとスキャン画像Ｃとを合成し、その相違箇所が明らかになるような合成表示画像Ｄを作成するもので、作成された合成表示画像Ｄは、ネットワーク１を介して確認者端末３へ返送されるようになっている。
【００３７】
図３は、図２のサーバの動作説明図である。以下、この図３を参照しつつ、図２の動作を説明する。
【００３８】
登録時に、ネットワーク１を介して登録者端末２から送られた電子文書Ａは、文書画像作成部１２によってビットマップ形式の文書画像Ｆに変換され、電子透かし画像作成部１４に与えられる。一方、照会情報作成部１１では、電子文書Ａに対する受付日時や受付番号等の照会情報Ｅが作成される。
【００３９】
照会情報作成部１１で作成された照会情報Ｅと、文書画像作成部１２で作成された文書画像Ｆは、情報保持部１３Ａに送られて対応付けされて保存されると共に、電子透かし画像作成部１４に与えられる。
【００４０】
電子透かし画像作成部１４では、文書画像Ｆから改ざん検出情報が抽出され、これに照会情報Ｅが合わされて電子透かし情報が作成され、この電子透かし情報に基づいてビットマップ形式の電子透かし画像Ｇが作成される。
【００４１】
電子透かし画像Ｇは、表示画面のほぼ全面が、例えば１２画素×１２画素の矩形の領域に分割され、その分割された領域に電子透かし情報の内容に従って、０，１のビットに対応する２種類のパターンが、繰り返えして割り付けられて構成されている。
【００４２】
図３中に拡大表示したように、例えば“０”のビットに対応する矩形の領域には、右上がりの点線になるように黒画素が配置されたパターンが割り当てられる。また、“１”のビットに対応する矩形の領域には、右下がりの点線になるように黒画素が配置されたパターンが割り当てられる。各パターンにおける黒画素の割合は、いずれも８／１４４でパターン内に分散されており、これを紙面に印刷すると、薄い地紋のような模様となる。
【００４３】
電子透かし画像作成部１４で作成されたビットマップ形式の電子透かし画像Ｇは、電子文書Ａと共に電子透かし電子文書作成部１５へ与えられ、この電子透かし電子文書作成部１５によって電子透かし電子文書Ｂが作成される。電子透かし電子文書Ｂは、電子文書Ａのレイアウト情報及び文書内容を示す文字コードと、電子透かし画像Ｇのビットマップ情報で構成された文書情報である。
【００４４】
電子透かし電子文書Ｂは、ネットワーク１を介して登録者端末２へ返送され、この登録者端末２に接続されたプリンタ４で紙媒体上に印刷されて印刷文書５が出力される。印刷文書５は、この図３に示すように、電子透かし画像Ｇと文書画像Ｆを重ねて印刷したものである。電子透かし画像Ｇの黒画素は低密度で分散されているので、これによって文字の判読に影響が生ずるおそれは全くない。一方、電子透かし画像Ｇの一部は、文書画像Ｆの文字パターンで覆われるが、電子透かし情報は、紙面のほぼ全域に繰り返して印刷されているので、一部の読み取りができなくても、電子透かし情報の検出ができなくなるおそれはない。
【００４５】
印刷文書５は、郵便や介在人等を介して、受取人に渡される。
【００４６】
受取人は、内容確認時に、印刷文書５を確認者端末３のスキャナ６で読み取らせる。読み取られたスキャン画像Ｃは、確認者端末３からネットワーク１を介してサーバ１０Ａの電子透かし検出部１６に与えられる。電子透かし検出部１６において、スキャン画像Ｃ中に電子透かしとして埋め込まれた照会情報Ｅが検出される。検出された照会情報Ｅは照会情報検索部１７へ与えられ、この照会情報検索部１７によって情報保存部１３Ａが検索される。情報保存部１３Ａでは、照会情報検索部１７から与えられた照会情報Ｅに基づいて、保存されている文書画像Ｆが読み出される。
【００４７】
情報保存部１３Ａから読み出された文書画像Ｆは、合成表示画像作成部１８へ出力される。合成表示画像作成部１８では、スキャン画像Ｃから電子透かしパターンが除去されて文書画像が抽出され、これが情報保存部１３Ａから与えられた文書画像Ｆと合成されて、その相違箇所が明らかになるような合成表示画像Ｄが作成される。
【００４８】
例えば、図３に示すように、印刷文書５の「すかし」の文字が、何者かによって「透かし」に書き替えられた場合、この印刷文書５のスキャン画像Ｃから得られた文書画像は、サーバ１０Ａの情報保存部１３Ａに保存されていた文書画像Ｆとは異なる。従って、これらを合成すると、「すかし」の「す」と、「透かし」の「透」が重なった合成表示画像Ｄが作成される。
【００４９】
作成された合成表示画像Ｄは、ネットワーク１を介して確認者端末３へ返送されて表示される。これにより、受取人は合成表示画像Ｄを参照して、手元の印刷文書５を確認することができる。
【００５０】
以上のように、この図２のサーバ１０Ａでは、印刷文書５をスキャンして読み取られたスキャン画像Ｃと、登録された文書画像Ｆとを合成して、これらの相違箇所が明らかになるような合成表示画像Ｄを作成するようにしている。これにより、印刷文書５の改ざんの有無を、目視で容易に行うことができる。
【００５１】
図４は、図１中のサーバの第２の構成例を示す図であり、図２中の要素と共通の要素には共通の符号が付されている。
【００５２】
このサーバ１０Ｂは、図２中の情報保存部１３Ａに代えて電子文書Ａを保存する情報保存部１３Ｂを設けると共に、この情報保存部１３Ｂから読み出された電子文書Ａから文書画像Ｆを作成し、合成表示画像作成部１８へ出力する文書画像作成部１９を設けている。その他の構成は、図２と同様である。
【００５３】
このサーバ１０Ｂでは、登録時に、登録者端末２から送られた電子文書Ａは、文書画像作成部１２、情報保存部１３Ｂ、及び電子透かし電子文書作成部１５に与えられる。一方、照会情報作成部１１では、電子文書Ａに対する照会情報Ｅが作成され、情報保存部１３Ｂと電子透かし画像作成部１４に与えられる。これにより、情報保存部１３Ｂには、照会情報Ｅと電子文書Ａが対応付けされて保存される。文書画像作成部１２、電子透かし画像作成部１４、及び電子透かし電子文書作成部１５の動作は、図２と同様である。
【００５４】
内容確認時に、確認者端末３から送られたスキャン画像Ｃは、電子透かし検出部１６と合成表示画像作成部１８に与えられる。電子透かし検出部１６において、スキャン画像Ｃ中に電子透かしとして埋め込まれた照会情報Ｅが検出される。検出された照会情報Ｅは照会情報検索部１７へ与えられ、この照会情報検索部１７によって情報保存部１３Ｂが検索される。情報保存部１３Ｂでは、照会情報検索部１７から与えられた照会情報Ｅに基づいて、保存されている電子文書Ａが読み出される。
【００５５】
情報保存部１３Ｂから読み出された電子文書Ａは、文書画像作成部１９へ与えられ、文書画像Ｆが作成される。文書画像作成部１９で作成された文書画像Ｆは、合成表示画像作成部１８へ出力される。合成表示画像作成部１８では、スキャン画像Ｃから電子透かしパターンが除去されて文書画像が抽出され、これが文書画像作成部１９から与えられた文書画像Ｆと合成され、合成表示画像Ｄが作成される。
【００５６】
以上のように、この図４のサーバ１０Ｂでは、情報保存部１３Ｂに電子文書Ａを保存している。一般に文字コードで表現される電子文書Ａは、ビットマップ形式の文書画像Ｆよりも少ない記憶容量で保存することができるので、情報保存部１３Ｂの容量を節約することができるという利点がある。
【００５７】
図５は、図１中のサーバの第３の構成例を示す図であり、図４中の要素と共通の要素には共通の符号が付されている。
【００５８】
このサーバ１０Ｃは、図４中の情報保存部１３Ｂに代えて電子透かし電子文書Ｂを保存する情報保存部１３Ｃを設けると共に、この情報保存部１３Ｃから読み出された電子透かし電子文書Ｂを検証し、その電子透かし電子文書Ｂを出力する電子透かし電子文書検証部２０を設けている。電子透かし電子文書検証部２０から出力された電子透かし電子文書Ｂは、文書画像作成部１９に与えられるようになっている。その他の構成は図４と同様である。
【００５９】
このサーバ１０Ｃでは、登録時に、登録者端末２から送られた電子文書Ａは、文書画像作成部１２と電子透かし電子文書作成部１５に与えられる。一方、照会情報作成部１１では、電子文書Ａに対する照会情報Ｅが作成され、情報保存部１３Ｃと電子透かし画像作成部１４に与えられる。電子透かし画像作成部１４と電子透かし電子文書作成部１５の動作は、図４と同様である。電子透かし電子文書作成部１５で作成された電子透かし電子文書Ｂは、情報保存部１３Ｃに与えられる。これにより、情報保存部１３Ｃには、照会情報Ｅと電子透かし電子文書Ｂが対応付けされて保存される。
【００６０】
内容確認時に、確認者端末３から送られたスキャン画像Ｃは、電子透かし検出部１６と合成表示画像作成部１８に与えられる。電子透かし検出部１６において、スキャン画像Ｃ中に埋め込まれた照会情報Ｅが検出され、照会情報検索部１７へ与えられる。照会情報検索部１７によって情報保存部１３Ｃが検索され、この情報保存部１３Ｃでは、照会情報検索部１７から与えられた照会情報Ｅに基づいて、保存されている電子透かし電子文書Ｂが読み出される。
【００６１】
情報保存部１３Ｃから読み出された電子透かし電子文書Ｂは、電子透かし電子文書検証部２０へ与えられ、電子透かし電子文書に埋め込まれていた照会情報と、保存されていた照会情報Ｅが一致することが検証される。不一致の場合は、情報保存部１３Ｃにおける電子透かし電子文書Ｂのすり替えや改ざん等が行われたと判断され、その後の処理は中止される。一致した場合は、電子透かし電子文書Ｂが文書画像作成部１９に送られる。
【００６２】
文書画像作成部１９では、電子透かし電子文書Ｂに基づいて、文書画像Ｆが作成される。文書画像作成部１９で作成された文書画像Ｆは、合成表示画像作成部１８へ出力される。合成表示画像作成部１８では、スキャン画像Ｃから電子透かしパターンが除去されて文書画像Ｆが抽出され、これが文書画像作成部１９から与えられた文書画像Ｆと合成されて合成表示画像Ｄが作成される。
【００６３】
以上のように、この図５のサーバ１０Ｃでは、登録時に情報保存部１３Ｃに電子透かし電子文書Ｂを保存し，内容確認時には、保存していた照会情報Ｅと保存していた電子透かし電子文書Ｂに埋め込まれている保存情報を比較するようにしている。これにより、サーバ１０Ｃ内における電子透かし電子文書Ｂのすり替えや、改ざんの検証を行うことができるという利点がある。
【００６４】
（第２の実施形態）
【００６５】
図６は、本発明の第２の実施形態を示す印刷文書内容証明システムの構成図である。この印刷文書内容証明システムは、図１の印刷文書内容証明システムとほぼ同様の構成である。但し、登録時に、登録者端末２から、電子文書Ａに加えてこの電子文書Ａの内容の一部を内容情報Ｈとして、サーバ１０に送信するようにしたことと、内容確認時に、サーバ１０からその内容情報Ｈ等を確認者端末３に返送するようにしたことが相違している。
【００６６】
この印刷文書内容証明システムでは、登録者は、登録者端末２からネットワーク１を介して電子文書Ａとこの電子文書Ａに記述されている内容を記した内容情報Ｈをサーバ１０に送信する。サーバ１０において、電子文書Ａと内容情報Ｈから電子透かし電子文書Ｂが作成され、ネットワーク１を介して登録者端末２へ返送される。登録者は、電子透かし電子文書Ｂをプリンタ４で印刷して印刷文書５を出力し、この印刷文書５を受取人に送付する。
【００６７】
内容確認者は、確認者端末３とこれに接続されたスキャナ６を利用して、印刷文書５をスキャンして読み取り、スキャン画像Ｃをサーバ１０に送信する。サーバ１０では、登録時に保存しておいた内容情報Ｈが読み出され、ネットワーク１を介して確認者端末３に返送される。確認者端末３上には内容情報Ｈが表示されるので、内容確認者は内容情報Ｈと印刷文書５を比較して、この印刷文書５に改ざんが無いことを確認することができる。
【００６８】
図７は、図６中のサーバの第１の構成例を示す図であり、図２中の要素と共通の要素には共通の符号が付されている。
【００６９】
このサーバ１０Ｄは、図２中の情報保存部１３Ａに代えて登録者端末２から送られてきた内容情報Ｈを保存する情報保存部１３Ｄを設けると共に、合成表示画像作成部を削除して、この情報保存部１３Ｄから読み出された内容情報Ｈをそのまま確認者端末３に返送するように構成している。その他の構成は、図２と同様である。
【００７０】
このサーバ１０Ｄでは、登録時に、登録者端末２から送られた電子文書Ａは、文書画像作成部１２と電子透かし電子文書作成部１５に与えられる。一方、照会情報作成部１１では、電子文書Ａに対する照会情報Ｅが作成され、情報保存部１３Ｄと電子透かし画像作成部１４に与えられる。電子透かし画像作成部１４と電子透かし電子文書作成部１５の動作は、図２と同様である。一方、登録者端末２から送られた内容情報Ｈは、情報保存部１３Ｄに与えられ、照会情報Ｅと内容情報Ｈが対応付けされて保存される。
【００７１】
内容確認時に、確認者端末３から送られたスキャン画像Ｃは、電子透かし検出部１６に与えられる。電子透かし検出部１６において、スキャン画像Ｃ中に埋め込まれた照会情報Ｅが検出され、照会情報検索部１７へ与えられる。照会情報検索部１７によって情報保存部１３Ｄが検索され、この情報保存部１３Ｄでは、照会情報検索部１７から与えられた照会情報Ｅに基づいて、保存されている内容情報Ｈが読み出され、ネットワーク１を介して確認者端末３へ返送される。
【００７２】
以上のように、この図７のサーバ１０Ｄでは、登録時に情報保存部１３Ｄに内容情報Ｈを保存し，内容確認時に保存していた内容情報Ｈを読み出して確認者端末３へ送信するようにしている。一般に電子文書Ａの内容を抽出した内容情報Ｈは、電子文書Ａよりも情報量が少ないので、情報保存部１３Ｄの容量を節約することができるという利点がある。更に、サーバ１０Ｄにおける処理時間や、確認者端末３への送信時間を短縮され、応答時間が速くなるという利点がある。
【００７３】
図８は、図６中のサーバの第２の構成例を示す図であり、図７中の要素と共通の要素には共通の符号が付されている。
【００７４】
このサーバ１０Ｅは、図７中の情報保存部１３Ｄに代えて登録者端末２から送られてきた内容情報Ｈに加えて時間情報Ｔを保存する情報保存部１３Ｅを設けると共に、電子文書Ａを受信した時間に基づいて時間情報Ｔを作成する時間情報作成部２１を設けている。その他の構成は、図７と同様である。
【００７５】
このサーバ１０Ｅでは、登録時に、登録者端末２から送られた電子文書Ａは、文書画像作成部１２と電子透かし電子文書作成部１５に与えられる。一方、照会情報作成部１１では、電子文書Ａに対する照会情報Ｅが作成され、情報保存部１３Ｅと電子透かし画像作成部１４に与えられる。電子透かし画像作成部１４と電子透かし電子文書作成部１５の動作は、図２と同様である。また、時間情報作成部２１では、電子文書Ａが送られてきた時間に基づいた時間情報Ｔが作成され、情報保存部１３Ｅに与えられる。更に、登録者端末２から送られた内容情報Ｈは、情報保存部１３Ｅに与えられる。これにより、情報保存部１３Ｅには、照会情報Ｅと内容情報Ｈ及び時間情報Ｔが対応付けされて保存される。
【００７６】
内容確認時に、確認者端末３から送られたスキャン画像Ｃは、電子透かし検出部１６に与えられる。電子透かし検出部１６において、スキャン画像Ｃ中に埋め込まれた照会情報Ｅが検出され、照会情報検索部１７へ与えられる。照会情報検索部１７によって情報保存部１３Ｅが検索され、この情報保存部１３Ｅでは、照会情報検索部１７から与えられた照会情報Ｅに基づいて、保存されている内容情報Ｈと時間情報Ｔが読み出され、ネットワーク１を介して確認者端末３へ返送される。
【００７７】
以上のように、この図８のサーバ１０Ｅでは、登録時に情報保存部１３Ｅに内容情報Ｈと時間情報Ｔを保存し，内容確認時に、保存していた内容情報Ｈと時間情報Ｔを読み出して確認者端末３へ送信するようにしている。これにより、時間情報Ｔで示される時間には電子透かし電子文書Ｂが存在したこと、改ざんの無い場合には、その時間以降に電子透かし電子文書Ｂの改ざんの無いことを保証することができるという利点がある。
【００７８】
図９は、図６中のサーバの第３の構成例を示す図であり、図８中の要素と共通の要素には共通の符号が付されている。
【００７９】
このサーバ１０Ｆは、図８中の情報保存部１３Ｅに代えて登録者端末２から送られてきた内容情報Ｈに加えて時間情報Ｔと有効期限情報Ｊを保存する情報保存部１３Ｆを設けると共に、電子文書Ａの有効期限を示す有効期限情報Ｊを作成する有効期限情報作成部２２を設けている。更に、情報保存部１３Ｆから読み出された有効期限情報Ｊに基づいて、電子文書Ａが有効であるか否かを検証する有効期限検証部２３を設けている。その他の構成は、図８と同様である。
【００８０】
このサーバ１０Ｆでは、登録時に、登録者端末２から送られた電子文書Ａは、文書画像作成部１２と電子透かし電子文書作成部１５に与えられる。一方、照会情報作成部１１では、電子文書Ａに対する照会情報Ｅが作成され、情報保存部１３Ｆと電子透かし画像作成部１４に与えられる。電子透かし画像作成部１４と電子透かし電子文書作成部１５の動作は、図８と同様である。
【００８１】
また、時間情報作成部２１では、電子文書Ａが送られてきた時間に基づいた時間情報Ｔが作成され、有効期限作成部２２では、事前設定や登録者からの要求等に応じて有効期限情報Ｊが作成され、情報保存部１３Ｆに与えられる。更に、登録者端末２から送られた内容情報Ｈは、情報保存部１３Ｆに与えられる。これにより、情報保存部１３Ｆには、照会情報Ｅと内容情報Ｈ、時間情報Ｔ及び有効期限情報Ｊが対応付けされて保存される。この有効期限情報Ｊは、例えば、登録時から指定した日時までを有効期間として指定したり、指定した期日以降を有効とし、それまでの期間を無効とするように設定することができる。
【００８２】
内容確認時に、確認者端末３から送られたスキャン画像Ｃは、電子透かし検出部１６に与えられる。電子透かし検出部１６において、スキャン画像Ｃ中に埋め込まれた照会情報Ｅが検出され、照会情報検索部１７へ与えられる。照会情報検索部１７によって情報保存部１３Ｆが検索され、この情報保存部１３Ｆでは、照会情報検索部１７から与えられた照会情報Ｅに基づいて、保存されている内容情報Ｈ、時間情報Ｔ及び有効期限情報Ｊが読み出され、有効期限検証部２３に与えられる。有効期限検証部２３では有効期限情報Ｊが確認され、有効期限内であれば、内容情報Ｈと時間情報Ｔがネットワーク１を介して確認者端末３へ送信される。
【００８３】
以上のように、この図９のサーバ１０Ｆでは、登録時に情報保存部１３Ｆに内容情報Ｈと時間情報Ｔと有効期限情報Ｊを保存し、内容確認時に、保存していた有効期限情報Ｊによって印刷文書５が有効であるか否かを確認し、有効である場合にその内容情報Ｈと時間情報Ｉとを読み出して確認者端末３へ送信するようにしている。これにより、有効期限外の情報の送信を停止して、内容情報の漏洩を防止することができる。また、有効期限を経過したデータを削除することが可能になり、情報保存部１３Ｆの容量を節約することができる。
【００８４】
（第３の実施形態）
【００８５】
図１０は、本発明の第３の実施形態を示す印刷文書内容証明システムの構成図である。この印刷文書内容証明システムは、図１の印刷文書内容証明システムとほぼ同様の構成である。但し、登録時に、登録者端末２から送られた電子文書Ａに基づいて、その内容の一部を内容情報Ｈとしてサーバ１０に保存しておき、内容確認時に、サーバ１０からその内容情報Ｈ等を確認者端末３に送信するようにしたことが相違している。
【００８６】
この印刷文書内容証明システムでは、登録者は、登録者端末２からネットワーク１を介して電子文書Ａをサーバ１０に送信する。サーバ１０において、電子文書Ａの内容に基づいて内容情報Ｈが作成されて保存されると共に、この電子文書Ａから電子透かし電子文書Ｂが作成され、ネットワーク１を介して登録者端末２に返送される。登録者は、電子透かし電子文書Ｂをプリンタ４で印刷して印刷文書５を出力し、この印刷文書５を受取人に送付する。
【００８７】
内容確認者は、確認者端末３とこれに接続されたスキャナ６を利用して、印刷文書５をスキャンして読み取り、スキャン画像Ｃをサーバ１０に送信する。サーバ１０では、登録時に保存しておいた内容情報Ｈが読み出され、ネットワーク１を介して確認者端末３に返送される。確認者端末３上には内容情報Ｈが表示されるので、内容確認者は内容情報Ｈと印刷文書５を比較し、この印刷文書５に改ざんが無いことを確認することができる。
【００８８】
図１１は、図１０中のサーバの第１の構成例を示す図であり、図７中の要素と共通の要素には共通の符号が付されている。
【００８９】
このサーバ１０Ｇは、図７のサーバ１０Ｄに内容情報作成部２４を追加したものである。内容情報作成部２４は、登録者端末２から送られてきた電子文書Ａの内容に基づいて、内容情報Ｈを作成して情報保存部１３Ｇに出力するものである。その他の構成は、図７と同様である。
【００９０】
このサーバ１０Ｇでは、登録時に、登録者端末２から送られた電子文書Ａは、文書画像作成部１２と電子透かし電子文書作成部１５と内容情報作成部２４に与えられる。一方、照会情報作成部１１では、電子文書Ａに対する照会情報Ｅが作成され、情報保存部１３Ｇと電子透かし画像作成部１４に与えられる。また、内容情報作成部２４では、電子文書Ａに基づいて内容情報Ｈが作成され、情報保存部１３Ｇに出力される。これにより、情報保存部１３Ｇには、照会情報Ｅと内容情報Ｈが対応付けされて保存される。また、電子透かし画像作成部１４と電子透かし電子文書作成部１５の動作は、図７と同様である。
【００９１】
なお、内容確認時の動作は、図７と同様である。
【００９２】
以上のように、この図１１のサーバ１０Ｇでは、登録時に、内容情報作成部２４によって電子文書Ａから内容情報Ｈを作成し、情報保存部１３Ｇにこの内容情報Ｈを保存し、内容確認時に、保存していた内容情報Ｈを読み出して確認者端末３へ送信するようにしている。これにより、登録時に登録者端末２から内容情報Ｈを送信する必要がなくなり、登録者の操作が簡単になるという利点がある。
【００９３】
図１２は、図１０中のサーバの第２の構成例を示す図であり、図１１中の要素と共通の要素には共通の符号が付されている。
【００９４】
このサーバ１０Ｈでは、図１１のサーバ１０Ｇの内容情報作成部２４に代えて、処理内容の異なる内容情報作成部２５，２６を設けると共に、内容情報比較部２７を追加したものである。内容情報作成部２５は、文書画像作成部１２で作成された文書画像Ｆに基づいて内容情報Ｈを作成し，情報保存部１３Ｈに与えるものである。
【００９５】
一方、内容情報作成部２６は、確認者端末３から送られてきたスキャン画像Ｃに基づいて、内容情報Ｈを作成するものである。また、内容情報比較部２７は、情報保存部１３Ｈから読み出された内容情報Ｈと、内容情報作成部２６で作成された内容情報ＨＸとを比較して、その比較結果を内容差分情報Ｋとして出力するものである。その他の構成は、図１１と同様である。
【００９６】
このサーバ１０Ｈでは、登録時に、登録者端末２から送られた電子文書Ａは、文書画像作成部１２と電子透かし電子文書作成部１５に与えられる。一方、照会情報作成部１１では、電子文書Ａに対する照会情報Ｅが作成され、情報保存部１３Ｈと電子透かし画像作成部１４に与えられる。また、内容情報作成部２５では、文書画像作成部１２で作成された文書画像Ｆに基づいて内容情報Ｈが作成され、情報保存部１３Ｈに出力される。これにより、情報保存部１３Ｈには、照会情報Ｅと内容情報Ｈが対応付けされて保存される。また、電子透かし画像作成部１４と電子透かし電子文書作成部１５の動作は、図１１と同様である。
【００９７】
内容確認時に、確認者端末３から送られたスキャン画像Ｃは、電子透かし検出部１６と内容情報作成部２６に与えらる。電子透かし検出部１６によって、スキャン画像Ｃ中に埋め込まれた照会情報Ｅが検出され、照会情報検索部１７へ与えられる。照会情報検索部１７によって情報保存部１３Ｈが検索され、照会情報Ｅに基づいて、保存されている内容情報Ｈが読み出され、内容情報比較部２７に与えられる。
【００９８】
一方、内容情報作成部２６によって、スキャン画像Ｃに基づいて内容情報ＨＸが作成され、内容情報比較部２７に与えられる。内容情報比較部２７では、情報保存部１３Ｈからの内容情報Ｈと、内容情報作成部２６からの内容情報ＨＸが比較され、その比較結果の情報が内容差分情報Ｋとして出力される。内容差分情報Ｋは、ネットワーク１を介して確認者端末３に送られて表示される。
【００９９】
以上のように、この図１２のサーバ１０Ｈでは、２つの内容情報Ｈを比較した比較結果の相違情報のみが確認者端末３に送られる。これにより、改ざんの確認が容易になるという利点がある。
【０１００】
（第４の実施形態）
【０１０１】
図１３は、本発明の第４の実施形態を示す印刷文書内容証明システムの構成図である。この印刷文書内容証明システムは、図１の印刷文書内容証明システムとほぼ同様の構成である。但し、この印刷文書内容証明システムでは、登録時に、登録者端末２から送られた電子文書Ａに基づいて、その内容の一部を内容情報Ｈとしてサーバ１０に保存しておき、確認者端末３からの要求に従ってサーバ１０から電子透かし検出プログラムＰをダウンロードし、この電子透かし検出プログラムＰによって検出された照会情報Ｅに基づいて、サーバ１０に保存しておいた内容情報Ｈを確認者端末３に出力するようになっている。
【０１０２】
この印刷文書内容証明システムでは、登録者は、登録者端末２からネットワーク１を介して電子文書Ａをサーバ１０に送信する。サーバ１０において、電子文書Ａの内容に基づいて内容情報Ｈが作成されて保存されると共に、この電子文書Ａから電子透かし電子文書Ｂが作成され、ネットワーク１を介して登録者端末２へ返送される。登録者は、電子透かし電子文書Ｂをプリンタ４で印刷して印刷文書５を出力し、この印刷文書５を受取人に送付する。
【０１０３】
内容確認者は、確認者端末３とこれに接続されたスキャナ６を利用して、印刷文書５をスキャンして読み取り、ダウンロードされた電子透かし検出プログラムＰによって、スキャン画像Ｃから照会情報Ｅを抽出する。そして、抽出した照会情報Ｅをサーバ１０に送信する。
【０１０４】
サーバ１０では、照会情報Ｅに基づいて登録時に保存しておいた内容情報Ｈが読み出され、ネットワーク１を介して確認者端末３に返送される。確認者端末３上には内容情報Ｈが表示されるので、内容確認者は内容情報Ｈと印刷文書５を比較して、この印刷文書５に改ざんが無いことを確認することができる。
【０１０５】
図１４は、図１３中のサーバの構成例を示す図であり、図１１中の要素と共通の要素には共通の符号が付されている。
【０１０６】
このサーバ１０Ｉでは、図１１のサーバ１０Ｇに、電子透かし検出プログラム送付部２８を追加すると共に、電子透かし検出部を削除して、確認者端末３から送られた照会情報Ｅが照会情報検索部１７へ与えられるようになっている。その他の構成は、図１１と同様である。
【０１０７】
このサーバ１０Ｉにおける登録者端末２側に対する動作は、図１１と同様である。
【０１０８】
一方、確認者端末３からの要求に応じて、電子透かし検出プログラム送付部２８から電子透かし検出プログラムＰが送付される。確認者端末３では、ダウンロードされた電子透かし検出プログラムＰに従って、スキャナ６で読み取られたスキャン画像から、電子透かしで埋め込まれた照会情報Ｅが検出され、ネットワーク１を介してサーバ１０Ｉに送られる。照会情報検索部１７では、照会情報Ｅに基づいて情報保存部１３Ｉが検索され、その照会情報Ｅに対応する内容情報Ｈが読み出される。読み出された内容情報Ｈは、確認者端末３へ返送される。
【０１０９】
以上のように、この図１４のサーバ１０Ｉでは、確認者端末３から送られた照会情報Ｅに基づいて情報保存部１３Ｉを検索するようにしている。スキャン画像から抽出された照会情報Ｅは、元のスキャン画像よりもデータ量が小さいので、ネットワーク１による伝送時間を短縮することが可能になり、応答速度が速くなるという利点がある。一方、確認者端末３側では、正しい電子透かし検出プログラムＰによって、スキャン画像から正確に照会情報を抽出することができる。
【０１１０】
（第５の実施形態）
【０１１１】
図１５は、本発明の第５の実施形態を示す印刷文書内容証明システムの構成図である。この印刷文書内容証明システムは、図１の印刷文書内容証明システムとほぼ同様の構成である。但し、この印刷文書内容証明システムでは、登録時に、登録者端末２から電子文書Ａに加えて、内容情報Ｈと照会者情報Ｌを送信するようにしている。また、確認時には、確認者端末３からスキャン画像Ｃに加えて、照会者情報ＬＸを送信するようにしている。
【０１１２】
ここで、照会者情報Ｌは、パスワードやパスフレーズといった登録者が決めた情報や、住所や電話番号等の基本的に登録者と内容確認者にしか分からない情報である。内容確認者に通知しないと分からない情報の場合は、登録者から内容確認者に対して別途通知しておく必要がある。
【０１１３】
図１６は、図１５中のサーバの構成例を示す図であり、図７中の要素と共通の要素には共通の符号が付されている。
【０１１４】
このサーバ１０Ｊは、図７のサーバ１０Ｄの情報保存部１３Ｄに代えて、照会者情報Ｌも保存するための情報保存部１３Ｊを設けると共に、照会者情報検証部２９を設けている。照会者情報検証部２９は、確認者端末３から送信されてきた照会者情報ＬＸと、情報保存部１３Ｊに保存されている照会者情報Ｌを比較検証するもので、一致したときに内容情報Ｈが出力されるようになっている。その他の構成は、図７と同様である。
【０１１５】
このこのサーバ１０Ｊにおける登録者端末２側に対する動作は、内容情報Ｈに加えて照会者情報Ｌを、情報保存部１３Ｊに保存するほかは、図７の動作と同様である。
【０１１６】
一方、確認者端末３からスキャン画像Ｃが送られると、このスキャン画像から照会情報Ｅが検出され、情報保存部１３Ｊから照会者情報Ｌと内容情報Ｈが読み出される。情報保存部１３Ｊから読み出された照会者情報Ｌと、確認者端末３から送られた照会者情報ＬＸは、照会者情報検証部２９によって比較され、一致していると、内容情報Ｈが確認者端末３に返送される。確認者端末３上には内容情報Ｈが表示されるので、内容確認者は内容情報Ｈと印刷文書５を比較し、この印刷文書５に改ざんが無いことを確認することができる。
【０１１７】
以上のように、この図１６のサーバ１０Ｊでは、照会者情報Ｌをチェックするようにしているので、予め定められた照会者以外の者は内容の確認ができなくなり、セキュリティの向上が図れるという利点がある。
【０１１８】
（第６の実施形態）
【０１１９】
図１７は、本発明の第６の実施形態を示す印刷文書内容証明システムの構成図である。この印刷文書内容証明システムは、図１の印刷文書内容証明システムとほぼ同様の構成である。但し、この印刷文書内容証明システムでは、登録時に、登録者端末２から電子文書Ａに加えて内容情報Ｈを送信し、サーバ１０では電子透かし電子文書Ｂに加えて照会用情報Ｍを作成して、登録者端末２に返送するようにしている。
【０１２０】
また、このサーバ１０には、課金処理装置４０が接続されている。課金処理装置４０は、サーバ１０において、電子透かし電子文書Ｂの出力や内容情報Ｈの出力等のサービスを行ったときに、そのサービスに対する料金計算や請求等の処理を行うものである。
【０１２１】
この印刷文書内容証明システムでは、登録者は、ネットワーク１等を介して内容確認者に対して、予め照会用情報Ｍを通知しておき、内容確認者は、確認時に確認者端末３からスキャン画像Ｃに加えて、照会用情報ＭＸを送信する必要がある。
【０１２２】
図１８は、図１７中のサーバの構成例を示す図であり、図７中の要素と共通の要素には共通の符号が付されている。
【０１２３】
このサーバ１０Ｋは、図７のサーバ１０Ｄの情報保存部１３Ｄに代えて照会用情報Ｍも保存するための情報保存部１３Ｋを設けると共に、この照会用情報Ｍを作成する照会用情報作成部３０と、照会用情報検証部３１とを追加したものである。
【０１２４】
照会用情報検証部３１は、確認者端末３から送信されてきた照会用情報ＭＸと、情報保存部１３Ｋに保存されている照会用情報Ｍを比較するもので、一致したときに内容情報Ｈが出力されるようになっている。その他の構成は、図７と同様である。
【０１２５】
このサーバ１０Ｋでは、登録時に、登録者端末２から送られた電子文書Ａは、文書画像作成部１２と電子透かし電子文書作成部１５に与えられる。一方、照会情報作成部１１では、電子文書Ａに対する照会情報Ｅが作成され、情報保存部１３Ｈと電子透かし画像作成部１４に与えられる。また、照会用情報作成部３０では、照会時に必要な照会番号等の照会用情報Ｍが作成され、情報保存部１３Ｈに出力される。これにより、情報保存部１３Ｈには、照会情報Ｅと内容情報Ｈ及び照会用情報Ｍが対応付けされて保存される。更に、照会用情報Ｍは、電子透かし電子文書Ｂと共に、ネットワーク１を介して登録者端末２に返送される。
【０１２６】
一方、確認者端末３からスキャン画像Ｃが送られると、このスキャン画像から照会情報Ｅが検出され、情報保存部１３Ｋから照会用情報Ｍと内容情報Ｈが読み出される。情報保存部１３Ｋから読み出された照会用情報Ｍと、確認者端末３から送られた照会用情報ＭＸは、照会用情報検証部３１によって比較され、一致していると、内容情報Ｈが確認者端末３に返送される。確認者端末３上には内容情報Ｈが表示されるので、内容確認者は内容情報Ｈと印刷文書５を比較し、この印刷文書５に改ざんが無いことを確認することができる。
【０１２７】
以上のように、この図１８のサーバ１０Ｋでは、照会用情報Ｍをチェックするようにしているので、照会用情報Ｍが与えられていない照会者や確認者端末３では内容の確認ができなくなり、セキュリティの向上が図れるという利点がある。また、課金処理装置４０によって、サービスに応じた料金を請求することができるという利点がある。
【０１２８】
なお、本発明は、上記実施形態に限定されず、種々の変形が可能である。この変形例としては、例えば、次のようなものがある。
【０１２９】
（ａ）　電子透かし画像Ｇは、図３で説明したパターンに限定されない。文書画像Ｆに重畳して印刷することが可能で、スキャナで読み取って照会情報Ｅを抽出できるようなパターンであれば、どのようなものでも適用可能である。
【０１３０】
（ｂ）　電子透かし画像作成部１４では、文書画像Ｆから改ざん検出情報を抽出し、これに照会情報Ｅを合わせて電子透かし情報を生成しているが、改ざん検出情報を使用せずに照会情報Ｅのみで電子透かし画像を作成しても良い。
【０１３１】
（ｃ）　図１４の電子透かし検出プログラム送付部２８では、確認者端末３に電子透かし検出プログラムＰをダウンロードするようにしているが、印刷文書５を読み取るスキャナ６を制御してスキャン画像Ｃを取得し、更にこのスキャン画像Ｃから検索用の照会情報Ｅを抽出するためのプログラムをダウンロードする用にしても良い。これにより、確認者端末における確認者の操作を簡素化することができる。
【０１３２】
（ｄ）　電子文書Ａ等を登録者端末２からネットワーク１を介してサーバ１０へ送信し、サーバから返送された電子透かし電子文書Ｂに基づいて登録者端末２のプリンタで印刷文書５を印刷するようにしているが、登録者端末２を使用せず、サーバ１０に電子文書Ａを直接入力し、このサーバ１０で印刷文書５を出力するようにしても良い。
【０１３３】
また、ネットワーク１を介して接続された他の端末からサーバ１にアクセスし、電子透かし電子文書Ｂを取得して印刷文書５を印刷するようにしても良い。
【０１３４】
（ｅ）　図１７のサーバ１０に課金処理装置４０を接続しているが、図１、図６、図１０、図１３、及び図１５のサーバ１０にも、同様の課金処理装置４０を設け、電子透かし電子文書Ｂ、合成表示画像Ｄまたは内容情報Ｈの出力や、電子文書Ａの保存等のサービス提供に対する料金計算等の処理を行うようにしても良い。
【０１３５】
【発明の効果】
【０１３６】
以上詳細に説明したように、本発明によれば、登録時に入力された電子文書、この電子文書を画像形式に変換した文書画像、或いは電子透かしを埋め込んだ電子透かし電子文書等に、保存用の照会情報を付加してサーバに保存しておき、証明時に確認者端末から入力されたスキャン画像中の電子透かしに基づいて照会情報を抽出し、保存しておいた電子文書等を検索して合成画像を出力するようにしている。これにより、第三者に文書の内容を知られるおそれがなく、かつ文書の内容を容易に確認することができるという効果がある。
【図面の簡単な説明】
【図１】本発明の第１の実施形態を示す印刷文書内容証明システムの構成図である。
【図２】図１中のサーバの第１の構成例を示す図である。
【図３】図２のサーバの動作説明図である。
【図４】図１中のサーバの第２の構成例を示す図である。
【図５】図１中のサーバの第３の構成例を示す図である。
【図６】本発明の第２の実施形態を示す印刷文書内容証明システムの構成図である。
【図７】図６中のサーバの第１の構成例を示す図である。
【図８】図６中のサーバの第２の構成例を示す図である。
【図９】図６中のサーバの第３の構成例を示す図である。
【図１０】本発明の第３の実施形態を示す印刷文書内容証明システムの構成図である。
【図１１】図１０中のサーバの第１の構成例を示す図である。
【図１２】図１０中のサーバの第２の構成例を示す図である。
【図１３】本発明の第４の実施形態を示す印刷文書内容証明システムの構成図である。
【図１４】図１３中のサーバの構成例を示す図である。
【図１５】本発明の第５の実施形態を示す印刷文書内容証明システムの構成図である。
【図１６】図１５中のサーバの構成例を示す図である。
【図１７】本発明の第６の実施形態を示す印刷文書内容証明システムの構成図である。
【図１８】図１７中のサーバの構成例を示す図である。
【符号の説明】
１　　ネットワーク
２　　登録者端末
３　　確認者端末
４　　プリンタ
５　　印刷文書
６　　スキャナ
１０　　サーバ
１１　　照会情報作成部
１２，１９　　文書画像作成部
１３　　情報保存部
１４　　電子透かし画像作成部
１５　　電子透かし電子文書作成部
１６　　電子透かし検出部
１７　　照会情報検索部
１８　　合成表示画像作成部
２０　　電子透かし電子文書検証部
２１　　時間情報作成部
２２　　有効期限情報作成部
２３　　有効期限検証部
２４〜２６　　内容情報作成部
２７　　内容情報比較部
２８　　電子透かし検出プログラム送付部
２９　　照会者情報検証部
３０　　照会用情報作成部
３１　　照会用情報検証部
４０　　課金処理装置
【図１】
2004070786.tif 000003
【図２】
2004070786.tif 000004
【図３】
2004070786.tif 000005
【図４】
2004070786.tif 000006
【図５】
2004070786.tif 000007
【図６】
2004070786.tif 000008
【図７】
2004070786.tif 000009
【図８】
2004070786.tif 000010
【図９】
2004070786.tif 000011
【図１０】
2004070786.tif 000012
【図１１】
2004070786.tif 000013
【図１２】
2004070786.tif 000014
【図１３】
2004070786.tif 000015
【図１４】
2004070786.tif 000016
【図１５】
2004070786.tif 000017
【図１６】
2004070786.tif 000018
【図１７】
2004070786.tif 000019
【図１８】
2004070786.tif 000020